(57)【特許請求の範囲】
【請求項１】
複数のレンズを積層してなるレンズユニットと、
上記レンズユニットを駆動するアクチュエータとを備えたカメラモジュールであって、
上記レンズユニットを構成する上記複数のレンズは、各上記レンズ間に塗布された接着剤によって互いに固定されており、
上記アクチュエータは、上記レンズユニットを光軸方向から組み込むための開口部を有しており、
上記レンズユニットは、上記開口部から上記アクチュエータ内に組み込まれ、上記アクチュエータの内壁面と直接対面して、当該アクチュエータ内に保持されており、
上記レンズユニットに含まれる一のレンズのコバ面の一部を上記内壁面に固定するストッパーを備え、
上記内壁面と、上記レンズユニットに含まれる他のレンズのコバ面とは、一部分が接触しており、
上記ストッパーの少なくとも一部は、上記レンズユニットと、上記内壁面との間に嵌合させられていることを特徴とするカメラモジュール。
【請求項２】
上記複数のレンズのうち、隣接する任意の２つのレンズにおいて、向かい合う２つのコバ面のそれぞれに、向かい合う上記コバ面とは反対側に向かって凸となる段差が設けられ、互いの段差の間に生じた空隙に接着剤を塗布することによって、上記複数のレンズを互いに接合していることを特徴とする請求項１に記載のカメラモジュール。
【請求項３】
上記複数のレンズのうち、隣接する２つのレンズの間に設けられたスペーサーをさらに備え、
上記スペーサーにおける２つのコバ面のそれぞれに、当該スペーサーに対応する上記隣接する２つのレンズのうち、向かい合うレンズとは反対側に向かって凸となる段差が設けられ、当該段差と上記向かい合うレンズの上記コバ面に設けられた上記段差との間に生じた空隙に接着剤を塗布することによって、上記スペーサーと、当該スペーサーに対応する上記隣接する２つのレンズとを互いに接合していることを特徴とする請求項２に記載のカメラモジュール。
【請求項４】
上記複数のレンズのうち、隣接する２つのレンズの間に設けられた遮光板をさらに備え、
上記遮光板と当該遮光板に対応する上記隣接する２つのレンズのそれぞれとの間に生じた空隙に接着剤を塗布することによって、上記遮光板と当該遮光板に対応する上記隣接する２つのレンズとを互いに接合していることを特徴とする請求項２または３に記載のカメラモジュール。
【請求項５】
上記複数のレンズのうち、隣接する２つのレンズの間に設けられた遮光板をさらに備え、
上記遮光板に対応する上記隣接する２つのレンズのいずれか一方のレンズの上記コバ面には突起が設けられており、
上記遮光板は、上記突起に重ねて配置されることによって、他方のレンズの上記コバ面に係合することを特徴とする請求項２〜４のいずれか１項に記載のカメラモジュール。
【請求項６】
上記複数のレンズのうち、隣接する任意の２つのレンズのいずれか一方のレンズの上記コバ面には凸形状が設けられ、他方のレンズの上記コバ面には凹形状が設けられており、上記凸形状と上記凹形状とを係合または嵌合することによって、上記レンズユニットの光軸合わせがなされていることを特徴とする請求項２〜５のいずれか１項に記載のカメラモジュール。
【請求項７】
上記複数のレンズ各々の外壁面の位置を合わせることによって、上記レンズユニットの光軸合わせがなされていることを特徴とする請求項２〜５のいずれか１項に記載のカメラモジュール。
【請求項８】
上記複数のレンズのうち、隣接する任意の２つのレンズにおいて、向かい合う２つのコバ面のそれぞれに、向かい合う上記コバ面とは反対側に向かって凸となる段差が設けられ、互いの段差の間に生じた空隙に接着剤を塗布することによって、上記複数のレンズを互いに接合しており、
上記複数のレンズのうち、隣接する２つのレンズの間に設けられたスペーサーをさらに備え、
上記スペーサーにおける２つのコバ面のそれぞれに、当該スペーサーに対応する上記隣接する２つのレンズのうち、向かい合うレンズとは反対側に向かって凸となる段差が設けられ、当該段差と上記向かい合うレンズの上記コバ面に設けられた上記段差との間に生じた空隙に接着剤を塗布することによって、上記スペーサーと、当該スペーサーに対応する上記隣接する２つのレンズとを互いに接合しており、
上記複数のレンズのうち、隣接する任意の２つのレンズのいずれか一方のレンズの上記コバ面には凸形状が設けられ、他方のレンズの上記コバ面には凹形状が設けられており、上記凸形状と上記凹形状とを係合または嵌合することによって、上記レンズユニットの光軸合わせがなされていることを特徴とする請求項１に記載のカメラモジュール。
【請求項９】
複数のレンズを積層してなるレンズユニットと、
上記レンズユニットを駆動するアクチュエータとを備えたカメラモジュールであって、
上記レンズユニットを構成する上記複数のレンズは、各上記レンズ間の嵌合によって互いに固定されており、
上記アクチュエータは、上記レンズユニットを光軸方向から組み込むための開口部を有しており、
上記レンズユニットは、上記開口部から上記アクチュエータ内に組み込まれ、上記アクチュエータの内壁面と直接対面して、当該アクチュエータ内に保持されており、
上記レンズユニットに含まれる一のレンズのコバ面の一部を上記内壁面に固定するストッパーを備え、
上記内壁面と、上記レンズユニットに含まれる他のレンズのコバ面とは、一部分が接触しており、
上記ストッパーの少なくとも一部は、上記レンズユニットと、上記内壁面との間に嵌合させられていることを特徴とするカメラモジュール。
【請求項１０】
基板に配置された撮像素子と、
上記撮像素子をカバーするためのセンサーカバーとをさらに備え、
上記センサーカバーは、上記撮像素子と当接する部位を有しており、
上記アクチュエータは、上記センサーカバーに当接していることを特徴とする請求項１〜９のいずれか１項に記載のカメラモジュール。
【請求項１１】
上記アクチュエータは、上記開口部を有する上部カバーをベース部材上に配置して構成されており、
上記レンズユニットは、上記アクチュエータ内で上記ベース部材上に取り付けられたサスペンションワイヤであって、自身の外周に手振れ補正用コイルが固定されたサスペンションワイヤによって、上記ベース部材との間に間隔を空けて支持されていることを特徴とする請求項１〜１０のいずれか１項に記載のカメラモジュール。
【請求項１２】
請求項１〜１１のいずれか１項に記載のカメラモジュールが組み込まれていることを特徴とする電子機器。
【請求項１３】
複数のレンズを積層してなるレンズユニットと、上記レンズユニットを駆動するアクチュエータと、ストッパーとを備えたカメラモジュールの製造方法であって、
上記レンズユニットを光軸方向から組み込むための開口部を有する上記アクチュエータを用意する工程と、
各上記レンズ間に接着剤を塗布することによって、上記複数のレンズを互いに固定して、上記レンズユニットを製造する工程と、
用意した上記アクチュエータの上記開口部から上記レンズユニットを上記アクチュエータ内に組み込み、当該レンズユニットを上記アクチュエータの内壁面と直接対面させて、当該アクチュエータ内に保持させる工程とを含み、
上記ストッパーは、上記レンズユニットに含まれる一のレンズのコバ面の一部を上記内壁面に固定し、
上記内壁面と、上記レンズユニットに含まれる他のレンズのコバ面とは、一部分が接触しており、
上記ストッパーの少なくとも一部は、上記レンズユニットと、上記内壁面との間に嵌合させられていることを特徴とする製造方法。
【請求項１４】
複数のレンズを積層してなるレンズユニットと、上記レンズユニットを駆動するアクチュエータと、ストッパーとを備えたカメラモジュールの製造方法であって、
上記レンズユニットを光軸方向から組み込むための開口部を有する上記アクチュエータを用意する工程と、
各上記レンズ間の嵌合によって、上記複数のレンズを互いに固定して、上記レンズユニットを製造する工程と、
用意した上記アクチュエータの上記開口部から上記レンズユニットを上記アクチュエータ内に組み込み、当該レンズユニットを上記アクチュエータの内壁面と直接対面させて、当該アクチュエータ内に保持させる工程とを含み、
上記ストッパーは、上記レンズユニットに含まれる一のレンズのコバ面の一部を上記内壁面に固定し、
上記内壁面と、上記レンズユニットに含まれる他のレンズのコバ面とは、一部分が接触しており、
上記ストッパーの少なくとも一部は、上記レンズユニットと、上記内壁面との間に嵌合させられていることを特徴とする製造方法。
【発明の詳細な説明】
【技術分野】
【０００１】
本発明は、カメラモジュール、および当該カメラモジュールを搭載した電子機器、ならびに当該カメラモジュールの製造方法に関する。
【背景技術】
【０００２】
近年では、携帯電話機内にカメラモジュールを組み込んだ機種が、使用されている機種の大半を占めるようになってきている。このようなカメラモジュールは、携帯電話機内に収納しなければならないため、デジタルカメラと比べて小型化および軽量化に対する要求が大きい。
【０００３】
上述したカメラモジュールでは、レンズを駆動するアクチュエータによってオートフォーカス（ＡＦ）機能を発揮するタイプのカメラモジュールが増加してきている。アクチュエータには、ステッピングモータを利用するタイプ、圧電素子を利用するタイプ、ＶＣＭ（Voice Coil Motor：ボイスコイルモータ）を利用するタイプ等、様々なタイプが存在しており、これらのアクチュエータは既に市場に流通している。同様に、レンズを支持し、所定の方向に可動にガイドする支持手段について、バネを用いる方法が主流ではあるが、ガイド軸に沿って摺動させる方法、ボールの転がりを利用する方法等、様々な方法が提案されている。また、形状記憶合金ワイヤのように、アクチュエータと支持手段とを兼ねる方法も提案されている。
【０００４】
例えば、特許文献１にはアクチュエータと支持手段とを兼ねた構成が開示されている。具体的には、特許文献１に開示されているカメラモジュールは、光学素子を収納したレンズバレルと、レンズバレルを収納するレンズキャリアとを備えたアクチュエータ、固体撮像素子、および基板等から構成されている。特許文献１のカメラモジュールでは、光学素子を保持する部材としてレンズバレルとレンズキャリアとの２重構造を採っているため、レンズバレルの肉厚分だけカメラモジュールが大きくなっている。
【０００５】
そこで、カメラモジュールを小型化するために、上記の２重構造を解消する構造として、レンズバレルを用いない構造が特許文献２では提案されている。特許文献２に開示されている構成では、撮像部とアクチュエータの底部とを組み立てた後、その上にレンズを配置し、レンズ間距離の調整を行うと同時に、接着剤によってレンズ間の固定を行っている。その後、その他のアクチュエータの部材を組み立てている。しかしながら、この特許文献２に開示されている構造では、次のような課題がある。特許文献２の構造では、アクチュエータを組み立てる途中でレンズユニットを組み込んでいるため、アクチュエータの組み込み工程でレンズ表面に汚れや傷を付けてしまう虞がある。また特許文献２では、アクチュエータの組み立て中に、レンズユニットのレンズ間距離の調整や接着剤による固定を行っているため、アクチュエータの組み立て後に、レンズの光学性能を評価することになる。この場合、もしレンズが不良品であると、アクチュエータを含めてすべてが不良品になってしまい、仕損額が大きくなってしまう。そのため、完成したアクチュエータの良品率が悪くなる場合があり、生産効率が低くなってしまう。
【先行技術文献】
【特許文献】
【０００６】
【特許文献１】特開２０１１−２３７６３３号公報（２０１１年１１月２４日公開）
【特許文献２】特開２００７−１２１８４９号公報（２００７年５月１７日公開）
【特許文献３】特開２００９−８７７５号公報（２００９年１月１５日公開）
【発明の概要】
【発明が解決しようとする課題】
【０００７】
上述したように特許文献２の構造では、アクチュエータを組み立てる途中でレンズユニットを組み込んでいるため、アクチュエータの組み込み工程でレンズ表面に汚れや傷を付けてしまう虞がある。これらの汚れや傷は、アクチュエータを完成した後の洗浄では取り除くことができず、結果としてレンズの光学性能が劣化してしまう。
【０００８】
また、特許文献２の構造では、アクチュエータの組み立て中に、レンズユニットのレンズ間距離の調整や接着剤による固定を行っているため、アクチュエータの組み立て後に、レンズの光学性能を評価することになる。この場合、レンズが不良品であると、アクチュエータを含めてすべてが不良品になってしまい、仕損額が大きくなってしまう。そのため、完成したカメラモジュールの良品率は悪くなり、生産効率が低くなってしまう。
【０００９】
以上のことから、レンズユニットは、アクチュエータを組み立てる前に製造しておく必要がある。そこで、レンズバレルに保持されずに複数のレンズをユニット化する方法として、特許文献３に記載の方法がある。特許文献３には、第１レンズの外周面と第２レンズの外周面とを突き合わせた状態で接着剤を塗布して、レンズ同士を固定する方法が開示されている。
【００１０】
しかしながら、特許文献３に開示されているような接着方法では、第１レンズの外周面と第２レンズの外周面とを接着剤で固定しているため、積層して固定されたレンズユニットの直径寸法は、第１レンズおよび第２レンズの直径寸法よりも接着剤の厚み分だけ大きくなる。そのため、このようなレンズユニットを用いて、特許文献２に開示されているような構造を実現した場合、レンズバレルの肉厚分の削減寸法と、接着剤の厚みによる増加寸法とを相殺した効果しか得られない。
【００１１】
そこで、本発明は上記の課題に鑑みてなされたものであり、その目的は、小型であり、なおかつ良品質なカメラモジュール、および当該カメラモジュールを備えた電子機器、ならびに当該カメラモジュールの製造方法を提供することにある。
【課題を解決するための手段】
【００１２】
本発明の一態様に係るカメラモジュールは、上記の課題を解決するために、複数のレンズを積層してなるレンズユニットと、上記レンズユニットを駆動するアクチュエータとを備えたカメラモジュールであって、上記レンズユニットを構成する上記複数のレンズは、各上記レンズ間に塗布された接着剤によって互いに固定されており、上記アクチュエータは、上記レンズユニットを光軸方向から組み込むための開口部を有しており、上記レンズユニットは、上記開口部から上記アクチュエータ内に組み込まれ、上記アクチュエータの内壁面と直接対面して、当該アクチュエータ内に保持されており、上記レンズユニットに含まれる一のレンズのコバ面の一部を上記内壁面に固定するストッパーを備え、上記内壁面と、上記レンズユニットに含まれる他のレンズのコバ面とは、一部分が接触しており、上記ストッパーの少なくとも一部は、上記レンズユニットと、上記内壁面との間に嵌合させられていることを特徴としている。
【００１３】
さらに、本発明の一態様に係るカメラモジュールの製造方法は、上記の課題を解決するために、複数のレンズを積層してなるレンズユニットと、上記レンズユニットを駆動するアクチュエータと、ストッパーとを備えたカメラモジュールの製造方法であって、上記レンズユニットを光軸方向から組み込むための開口部を有する上記アクチュエータを用意する工程と、各上記レンズ間に接着剤を塗布することによって、上記複数のレンズを互いに固定して、上記レンズユニットを製造する工程と、用意した上記アクチュエータの上記開口部から上記レンズユニットを上記アクチュエータ内に組み込み、当該レンズユニットを上記アクチュエータの内壁面と直接対面させて、当該アクチュエータ内に保持させる工程とを含み、上記ストッパーは、上記レンズユニットに含まれる一のレンズのコバ面の一部を上記内壁面に固定し、上記内壁面と、上記レンズユニットに含まれる他のレンズのコバ面とは、一部分が接触しており、上記ストッパーの少なくとも一部は、上記レンズユニットと、上記内壁面との間に嵌合させられていることを特徴としている。
【００１４】
上記の構成によれば、接着剤を塗布することによって、複数のレンズを互いに固定し、ユニット化することができる。そのため、従来ではレンズバレルを用いて各レンズを固定し、当該レンズバレルをアクチュエータ内に収容していたが、本発明の一態様ではユニット化したレンズユニットを直接アクチュエータ内に収容することができる。すなわち、レンズバレルを用いずに複数のレンズをユニット化したレンズユニットを直接アクチュエータ内に収容することができる。そのため、レンズバレルの肉厚分だけカメラモジュールの直径寸法を小さくすることができる。
【００１５】
また、従来ではアクチュエータを組み立てる途中でレンズユニットを組み込んでいるため、アクチュエータの組み込み工程でレンズ表面に汚れや傷を付けてしまう虞があった。しかし、本発明の一態様に係るカメラモジュールでは、アクチュエータを組み立てた後に、アクチュエータの開口部からレンズユニットを組み込むことができるため、レンズユニットの各レンズ表面に汚れや傷を付けてしまうのを防ぐことができる。そのため、各レンズの光学性能の劣化は抑えられ、完成したカメラモジュールの良品率を高く保つことができる。
【００１６】
さらにレンズユニットを事前に一体化して作製することにより、アクチュエータに組み込む前にレンズユニット単体の光学性能の評価が可能であるため、光学性能が保証された良品のレンズユニットを良品のアクチュエータに組み込むことができる。これにより組み立てたカメラモジュールの良品率を高く保つことができる。
【００１７】
以上のことから、本発明の一態様によれば、小型であり、なおかつ良品質なカメラモジュールを実現できる。
【００１８】
さらに、本発明の一態様に係るカメラモジュールは、上記の課題を解決するために、複数のレンズを積層してなるレンズユニットと、上記レンズユニットを駆動するアクチュエータとを備えたカメラモジュールであって、上記レンズユニットを構成する上記複数のレンズは、各上記レンズ間の嵌合によって互いに固定されており、上記アクチュエータは、上記レンズユニットを光軸方向から組み込むための開口部を有しており、上記レンズユニットは、上記開口部から上記アクチュエータ内に組み込まれ、上記アクチュエータの内壁面と直接対面して、当該アクチュエータ内に保持されており、上記レンズユニットに含まれる一のレンズのコバ面の一部を上記内壁面に固定するストッパーを備え、上記内壁面と、上記レンズユニットに含まれる他のレンズのコバ面とは、一部分が接触しており、上記ストッパーの少なくとも一部は、上記レンズユニットと、上記内壁面との間に嵌合させられていることを特徴としている。
【００１９】
さらに、本発明の一態様に係るカメラモジュールの製造方法は、上記の課題を解決するために、複数のレンズを積層してなるレンズユニットと、上記レンズユニットを駆動するアクチュエータと、ストッパーとを備えたカメラモジュールの製造方法であって、上記レンズユニットを光軸方向から組み込むための開口部を有する上記アクチュエータを用意する工程と、各上記レンズ間の嵌合によって、上記複数のレンズを互いに固定して、上記レンズユニットを製造する工程と、用意した上記アクチュエータの上記開口部から上記レンズユニットを上記アクチュエータ内に組み込み、当該レンズユニットを上記アクチュエータの内壁面と直接対面させて、当該アクチュエータ内に保持させる工程とを含み、上記ストッパーは、上記レンズユニットに含まれる一のレンズのコバ面の一部を上記内壁面に固定し、上記内壁面と、上記レンズユニットに含まれる他のレンズのコバ面とは、一部分が接触しており、上記ストッパーの少なくとも一部は、上記レンズユニットと、上記内壁面との間に嵌合させられていることを特徴としている。
【００２０】
上記の構成によれば、各レンズ間を嵌合することによって、複数のレンズを互いに固定し、ユニット化することができる。そのため、ユニット化したレンズユニットを直接アクチュエータ内に収容することができる。それ故、レンズバレルの肉厚分だけカメラモジュールの直径寸法を小さくすることができる。
【００２１】
また、本発明の一態様に係るカメラモジュールでは、アクチュエータを組み立てた後に、アクチュエータの開口部からレンズユニットを組み込むことができるため、各レンズの光学性能の劣化は抑えられ、完成したカメラモジュールの良品率を高く保つことができる。さらにアクチュエータに組み込む前にレンズユニット単体の光学性能の評価が可能であるため、光学性能が保証された良品のレンズユニットを良品のアクチュエータに組み込むことができる。これにより組み立てたカメラモジュールの良品率を高く保つことができる。
【００２２】
以上のことから、本発明の一態様によれば、小型であり、なおかつ良品質なカメラモジュールを実現できる。
【００２３】
さらに、本発明の一態様に係る電子機器は、上記の課題を解決するために、上述したいずれかのカメラモジュールが組み込まれていることを特徴としている。
【００２４】
上記の構成によれば、小型であり、なおかつ良品質なカメラモジュールを持つ電子機器を実現できる。
【発明の効果】
【００２５】
本発明の一態様によれば、レンズバレルを用いずに複数のレンズをユニット化したレンズユニットを直接アクチュエータ内に収容することができる。そのため、レンズバレルの肉厚分だけカメラモジュールの直径寸法を小さくすることができる。結果、小型のカメラモジュールを実現できる。
【００２６】
また、本発明の一態様に係るカメラモジュールでは、アクチュエータを組み立てた後に、アクチュエータの開口部からレンズユニットを組み込むことができるため、レンズユニットの各レンズ表面に汚れや傷を付けてしまうのを防ぐことができる。そのため、各レンズの光学性能の劣化は抑えられ、完成したカメラモジュールの良品率を高く保つことができる。さらに本発明の一態様に係るレンズユニットは、アクチュエータに組み込む前に光学性能の評価が可能となるため、良品のレンズユニットを良品のアクチュエータに組み込むことができ、組み立て後のカメラモジュールの良品率を高く保つことができる。
【図面の簡単な説明】
【００２７】
【図１】本発明の一実施形態に係るカメラモジュールの概略構成を模式的に示す断面図である。
【図２】本発明の一実施形態に係るレンズユニットの概略構成を模式的に示す断面図である。
【図３】本発明の一実施形態に係るレンズユニットの変形例の概略構成を模式的に示す断面図である。
【図４】本発明の一実施形態に係るレンズユニットの変形例の概略構成を模式的に示す断面図である。
【図５】本発明の一実施形態に係るストッパーの変形例の概略構成を模式的に示す断面図である。
【図６】本発明の一実施形態に係るストッパーの変形例の概略構成を模式的に示す断面図である。
【図７】本発明の一実施形態に係るレンズキャリアおよびセンサーカバーの変形例の概略構成を模式的に示す断面図である。
【図８】本発明の一実施形態に係るレンズキャリアおよびセンサーカバーの変形例の概略構成を模式的に示す断面図である。
【図９】本発明の一実施形態に係るアクチュエータの変形例の概略構成を模式的に示す断面図である。
【図１０】本発明の一実施形態に係るレンズユニットを撮像素子とは反対側から組み込む場合の概略構成を模式的に示す断面図である。
【図１１】本発明の一実施形態に係るレンズユニットを撮像素子側から組み込む場合の概略構成を模式的に示す断面図である。
【発明を実施するための形態】
【００２８】
本発明を以下の実施の形態により詳細に説明する。なお、以下の説明においては、同一の機能および作用を示す部材については、同一の符号を付し、説明を省略する。
【００２９】
（カメラモジュール２５の構成）
本発明の一実施形態に係るカメラモジュールは、携帯電話機等の各種の電子機器に搭載されるカメラモジュールであり、当該電子機器をカメラモードで使用するときに使用され得る。本発明の一実施形態に係るカメラモジュールについて、図１を参照して説明する。図１は、本実施形態に係るカメラモジュール２５の概略構成を模式的に示す断面図である。
【００３０】
図１に示すように、カメラモジュール２５は、複数のレンズ（本図では４枚のレンズ）の組み合わせからなるレンズユニット１と、レンズユニット１を経由した光の光電変換を行う撮像素子１２と、赤外線カット機能を備えたＩＲＣフィルター１１と、撮像素子１２を保持するための基板１３と、撮像素子１２全体を覆うように基板１３上に配置されたセンサーカバー１０と、レンズユニット１を駆動するアクチュエータ３０を備えている。センサーカバー１０のレンズユニット１側には開口部が設けられており、ＩＲＣフィルター１１により当該開口部は塞がれている。このセンサーカバー１０、ＩＲＣフィルター１１、撮像素子１２、および基板１３は、一般的に撮像部と称される。
【００３１】
アクチュエータ３０は、レンズユニット１を収容するレンズキャリア２と、レンズキャリア２の外周に位置するように固定された駆動コイル３、レンズキャリア２の底部を支えるベース部材４、アクチュエータ３０の内部を保護する上部カバー５、レンズユニット１を駆動するための磁界を発生させるマグネット６、磁界の漏れを防止するヨーク７、レンズユニット１を駆動する際にレンズキャリア２を上下から保持する上板バネ８および下板バネ９を備えている。上部カバー５はヨーク７の上面に設けられており、ヨーク７はベース部材４の上面に設けられている。
【００３２】
カメラモジュール２５では、レンズキャリア２を光軸方向に駆動することによって、レンズユニット１を光軸方向に駆動している。具体的には、マグネット６によって形成される磁界中の駆動コイル３に電流を流すことで発生する電磁力によって、レンズキャリア２（レンズユニット１）を光軸方向に駆動することが可能となる。そして、駆動コイル３に流す電流を制御することにより、レンズキャリア２（レンズユニット１）の光軸方向の駆動を制御することができる。これにより、オートフォーカス（ＡＦ）機能を実現することができる。
【００３３】
なお、上述したアクチュエータ３０は、ＶＣＭ（Voice Coil Motor：ボイスコイルモータ）タイプのアクチュエータである。しかし、アクチュエータ３０は、ＶＣＭタイプに限定されるものではない。例えば、ステッピングモータを利用するタイプ、および圧電素子を利用するタイプ等、種々の方式のアクチュエータも適用することができる。
【００３４】
（レンズユニット１の構成）
カメラモジュール２５が搭載される携帯電話等の電子機器には、薄型化が要求されるため、カメラモジュール２５にも当然、薄型化が要求される。そこで、本実施形態に係るカメラモジュール２５は、これらの要求を満たすために特徴的な構造を有している。具体的には、カメラモジュール２５では、図１に示したように、レンズユニット１を直接レンズキャリア２に組み込んでいることを特徴としている。すなわち、アクチュエータ３０は、レンズユニット１を光軸方向から組み込むための開口部２６を有しており、レンズユニット１は、アクチュエータ３０の開口部２６からレンズキャリア２内に配置され、当該レンズキャリア２の内壁面と直接対面していることを特徴としている。これについて、図２を参照して説明する。図２は、本実施形態に係るレンズユニット１の概略構成を模式的に示す断面図である。
【００３５】
レンズユニット１は複数のレンズから構成されており、図２では、第１レンズ１ａ、第２レンズ１ｂ、第３レンズ１ｃ、および第４レンズ１ｄの４枚のレンズから構成されている。各レンズのコバ部には段差が設けられており、他の部分と比較してコバ部の厚みは薄くなっている。より具体的には、図２に示すように、第１レンズ１ａのコバ部１５の上コバ面１５ａおよび下コバ面１５ｂの双方に段差が設けられている。同様に、第２レンズ１ｂのコバ部１６の上コバ面１６ａおよび下コバ面１６ｂの双方にも段差が設けられており、第３レンズ１ｃのコバ部１７の上コバ面１７ａおよび下コバ面１７ｂの双方にも段差が設けられている。また、第４レンズ１ｄのコバ部１８の上コバ面１８ａおよび下コバ面１８ｂにも段差が設けられている。換言すれば、レンズユニット１を構成する複数のレンズ（第１レンズ１ａから第４レンズ１ｄの４枚のレンズ）のうち、隣接する任意の２つのレンズにおいて向かい合う２つのコバ面のそれぞれに、向かい合うコバ面とは反対側に向かって凸となる段差が設けられている。
【００３６】
第４レンズ１ｄ、第３レンズ１ｃ、第２レンズ１ｂ、および第１レンズ１ａを下から順に積層していくと、第４レンズ１ｄの上コバ面１８ａと第３レンズ１ｃの下コバ面１７ｂとの間には空隙が生じることになる。同様に、第３レンズ１ｃの上コバ面１７ａと第２レンズ１ｂの下コバ面１６ｂとの間、ならびに第２レンズ１ｂの上コバ面１６ａと第１レンズ１ａの下コバ面１５ｂとの間にも空隙が生じる。これらの空隙に接着剤２０を塗布することによって、第１レンズ１ａから第４レンズ１ｄまでの４枚のレンズを１ユニットに固定することができる。レンズユニット１はレンズキャリア２内に収容され、レンズキャリア２の内壁に設けられたストッパー１４によってレンズキャリア２内に固定されている。ストッパー１４は、第４レンズ１ｄの下コバ面１８ｂを押さえつけることによって、レンズユニット１をレンズキャリア２内に固定している。
【００３７】
図２では、第３レンズ１ｃと第４レンズ１ｄとの間にレンズ間の距離を調整するためのスペーサー２１が設けられている。スペーサー２１の上面および下面の縁部にもそれぞれ段差が設けられている。そのため、第３レンズ１ｃの下コバ面１７ｂはスペーサー２１との間に生じた空隙に接着剤２０が設けられている。同様に、第４レンズ１ｄの上コバ面１８ａはスペーサー２１との間に生じた空隙に接着剤２０が設けられている。このように、各レンズとスペーサー２１とは、接着剤によって接合されているため、両者は外れ難くなる。スペーサー２１を配置する箇所および数には限定はなく、スペーサー２１は各レンズ間に適宜設けることができる。なお、従来では、各レンズ間距離を調整するために、各レンズ間距離が所望の距離となるような形状にレンズを射出成形しているが、このような形状の成形は難しかった。そこで、本実施形態においては、成形が難しい形状のレンズを用いなくても、スペーサー２１を用いてレンズ間距離を調整することが可能となる。
【００３８】
また、図２では、遮光板１９が、第１レンズ１ａと第２レンズ１ｂとの間、ならびに第２レンズ１ｂと第３レンズ１ｃとの間に設けられている。遮光板１９は、レンズの外側に不要光が入射することを防止し、ゴーストやフレアの発生を抑えるためのものである。遮光板１９を配置する箇所および数に限定はなく、遮光板１９は各レンズ間に適宜設けることができる。なお、上記のスペーサー２１を遮光性の材料で形成し、スペーサー２１に遮光板としての機能を付与してもよい。
【００３９】
この際、カメラモジュール２５では、各レンズおよびスペーサー２１それぞれの外壁面（光軸方向に略平行な側面）の位置を合わせることによって光軸出し（光軸合わせ）を行っている。この場合、各レンズのコバ面を最小限に抑えることができるため、各レンズの直径寸法を小さくすることができる。したがって、より小さいレンズユニット１を得ることができる。
【００４０】
そして、カメラモジュール２５では、第２レンズ１ｂの上コバ面１６ａおよび第３レンズ１ｃの上コバ面１７ａには突起が設けられている。具体的には、第２レンズ１ｂの上コバ面１６ａにおいて、第１レンズ１ａと第２レンズ１ｂとの間の遮光板１９に対応する位置に突起が設けられている。同様に、第３レンズ１ｃの上コバ面１７ａにおいて、第２レンズ１ｂと第３レンズ１ｃとの間の遮光板１９に対応する位置に突起が設けられている。遮光板１９の位置合わせは、これらの突起を利用して行われており、各遮光板１９は各突起上に重ねて配置されることになる。この場合、カメラモジュール２５に各遮光板１９を、接着剤を使わずに設けることができる。
【００４１】
以上のように、各レンズのコバ部に設けた段差により生じた空隙に接着剤２０を塗布することによって、第１レンズ１ａから第４レンズ１ｄを互いに固定し、ユニット化することができる。そのため、従来ではレンズバレルを用いて各レンズを固定し、当該レンズバレルをレンズキャリアに収容していたが、本実施形態ではユニット化したレンズユニット１を直接レンズキャリア２に収容することができる。すなわち、レンズバレルを用いずに第１レンズ１ａから第４レンズ１ｄをユニット化したレンズユニット１を直接レンズキャリア２に収容することができる。そのため、レンズバレルの肉厚分だけカメラモジュール２５の直径寸法を小さくすることができる。
【００４２】
特に、本実施形態に係るカメラモジュール２５では、各レンズのコバ部に設けた段差により生じた空隙に接着剤２０を塗布しているため、接着剤２０は各レンズの外周面には及ばない。より正確には、レンズユニット１の外周面には接着剤２０は存在せず、レンズユニット１の外周面はレンズキャリア２の内壁面に直接対峙している。そのため、レンズユニット１の直径寸法が、複数のレンズ（第１レンズ１ａから第４レンズ１ｄの４枚のレンズ）各々の直径寸法よりも接着剤２０の厚み分だけ大きくなることがない。すなわち、ユニット化したレンズユニット１の直径寸法は、複数のレンズ（第１レンズ１ａから第４レンズ１ｄの４枚のレンズ）各々の直径寸法と略同等である。このように、小型のカメラモジュールを実現できる。
【００４３】
また、従来ではアクチュエータを組み立てる途中でレンズユニットを組み込んでいるため、アクチュエータの組み込み工程でレンズ表面に汚れや傷を付けてしまう虞があった。しかし、本実施形態に係るカメラモジュール２５では、アクチュエータ３０を組み立てた後に、アクチュエータ３０の開口部２６からレンズユニット１を組み込むことができるため、レンズユニット１の各レンズ表面に汚れや傷を付けてしまうのを防ぐことができる。そのため、各レンズの光学性能の劣化は抑えられ、完成したカメラモジュール２５の良品率を高く保つことができる。
【００４４】
なお、図２では、第１レンズ１ａの上コバ面１５ａおよび下コバ面１５ｂの双方、ならびに第４レンズ１ｄの上コバ面１８ａおよび下コバ面１８ｂの双方に段差を設けているが、少なくとも第１レンズ１ａの下コバ面１５ｂおよび第４レンズ１ｄの上コバ面１８ａに段差が設けられていればよい。
【００４５】
また、図２では、第２レンズ１ｂの上コバ面１６ａおよび第３レンズ１ｃの上コバ面１７ａには突起が設けられているが、必ずしもこれに限定されるわけではない。例えば、カメラモジュール２５を、第１レンズ１ａを下にして製造していく場合には、第１レンズ１ａの下コバ面１５ｂおよび第２レンズ１ｂの下コバ面１６ｂに突起が設けられている方が好適である。遮光板１９は、これらの突起上に重ねて配置すればよい。
【００４６】
なお、以上では、各レンズのコバ部に設けた段差により生じた空隙に接着剤２０を塗布することによって、複数のレンズをユニット化しているが、必ずしもこれに限定されるわけではない。例えば、レンズユニット１を構成する複数のレンズ（第１レンズ１ａから第４レンズ１ｄの４枚のレンズ）のうち、隣接する任意の２つのレンズにおいて向かい合う２つのコバ面の一方に凸形状を設け、他方に凹形状を設け、上記の２つのコバ面に形成された凸形状と凹形状とを係合または嵌合させることによって、複数のレンズを互いに固定してもよい。
【００４７】
（レンズユニット１の変形例）
各レンズのコバ部に設けた段差により生じた空隙に接着剤２０を塗布することによって、第１レンズ１ａから第４レンズ１ｄを互いに固定する構成以外の構成は、上述した構成に限定されるわけではない。そこで、レンズユニット１の２つの変形例を図３および図４に示す。図３および図４は、本実施形態に係るレンズユニット１の変形例の概略構成を模式的に示す断面図である。以下では、上述した実施形態と異なる点についてのみ説明する。
【００４８】
図３に示すレンズユニット１では、各レンズおよびスペーサー２１が互いに係合または嵌合するように構成されている。具体的には、第１レンズ１ａの下コバ面１５ｂが、第２レンズ１ｂの上コバ面１６ａにおいて遮光板１９の位置合わせのために設けられた突起（凸形状）と係合または嵌合するような凹形状を有している。同様に、第２レンズ１ｂの下コバ面１６ｂが、第３レンズ１ｃの上コバ面１７ａにおいて遮光板１９の位置合わせのために設けられた突起（凸形状）と係合または嵌合するような凹形状を有している。
【００４９】
そして、スペーサー２１の上面には凸形状が形成されており、スペーサー２１の下面には凹形状が形成されている。第３レンズ１ｃの下コバ面１７ｂには凹形状が形成されており、スペーサー２１の上面の凸形状と係号または嵌合するようになっている。同様に、第４レンズ１ｄの上コバ面１８ａには凸形状が形成されており、スペーサー２１の下面の凹形状と係合または嵌合するようになっている。
【００５０】
このように各レンズおよびスペーサー２１を係合または嵌合させることにより、各レンズおよびスペーサー２１それぞれの位置合わせを行うことができる。すなわち、各レンズおよびスペーサー２１に設けた凸形状および凹形状のみを利用して、レンズユニット１の光軸出し（光軸合わせ）を行うことができる。
【００５１】
なお、図３では、第２レンズ１ｂの上コバ面１６ａおよび第３レンズ１ｃの上コバ面１７ａに突起が設けられ、第１レンズ１ａの下コバ面１５ｂおよび第２レンズ１ｂの下コバ面１６ｂに凹形状が設けられているが、必ずしもこれに限定されるわけではない。例えば、カメラモジュール２５を、第１レンズ１ａを下にして製造していく場合には、第２レンズ１ｂの上コバ面１６ａおよび第３レンズ１ｃの上コバ面１７ａに凹形状が設けられ、第１レンズ１ａの下コバ面１５ｂおよび第２レンズ１ｂの下コバ面１６ｂに突起が設けられている方が好適である。遮光板１９をこれらの突起上に重ねて配置し、各レンズおよびスペーサー２１を係合または嵌合させることにより、各レンズおよびスペーサー２１それぞれの位置合わせを行えばよい。
【００５２】
また、図４に示すレンズユニット１では、第２レンズ１ｂの上コバ面１６ａおよび第３レンズ１ｃの上コバ面１７ａにおいて、遮光板１９の位置合わせのために設けられた突起が設けられていない。本変形例では、１つの遮光板１９は、第１レンズ１ａの下コバ面１５ｂと第２レンズ１ｂの上コバ面１６ａとの間に設けられており、当該遮光板１９は各レンズと略同等の外径を有している。そのため、遮光板１９の外縁部は、第１レンズ１ａと第２レンズ１ｂとの外壁面にまで至っている。同様に、もう１つの遮光板１９は、第２レンズ１ｂの下コバ面１６ｂと第３レンズ１ｃの上コバ面１７ａとの間に設けられており、当該遮光板１９も各レンズと略同等の外径を有している。そのため、遮光板１９の外縁部は、第２レンズ１ｂと第３レンズ１ｃとの外壁面にまで至っている。
【００５３】
この場合、第４レンズ１ｄ、第３レンズ１ｃ、第２レンズ１ｂ、第１レンズ１ａ、および２つの遮光板１９を下から順に積層していくと、第３レンズの上コバ面１７ａと遮光板１９の下面との間、ならびに遮光板１９の上面と第２レンズ１ｂの下コバ面１６ｂとの間に空隙が生じることになる。同様に、第２レンズの上コバ面１６ａと遮光板１９の下面との間、ならびに遮光板の上面と第１レンズ１ａの下コバ面１５ｂとの間にも空隙が生じる。これらの空隙に接着剤２０を塗布することによって、２つの遮光板１９および第１レンズ１ａから第４レンズ１ｄまでの４枚のレンズを１ユニットに固定することができる。この際、カメラモジュール２５では、各レンズ、スペーサー２１、および２つの遮光板１９それぞれの外壁面（光軸方向に略平行な側面）の位置を合わせることによって光軸出し（光軸合わせ）を行っている。この場合、各レンズのコバ面を最小限に抑えることができるため、各レンズの直径寸法を小さくすることができる。したがって、より小さいレンズユニット１を得ることができる。
【００５４】
（ストッパー１４の変形例）
上述したように、ストッパー１４はレンズキャリア２の内壁に設けられており、第４レンズ１ｄの下コバ面１８ｂを押さえつけることによって、レンズユニット１をレンズキャリア２内に固定している。当該ストッパー１４は、接着剤によってレンズキャリア２の内壁に設けられていてもよいが、必ずしもこれに限定されるわけではない。そこで、以下には、レンズキャリア２内にレンズユニット１を固定するためのストッパー１４の２つの変形例を図５および図６に示す。図５および図６は、本実施形態に係るストッパー１４の変形例の概略構成を模式的に示す断面図である。以下では、上述した実施形態と異なる点についてのみ説明する。
【００５５】
図５に示すストッパー１４は、Ｌ字型をしており、レンズユニット１とレンズキャリア２との間の隙間に嵌合するように構成されている。嵌合したストッパー１４が第４レンズ１ｄの下コバ面１８ｂを押さえつけることによって、レンズユニット１をレンズキャリア２内に固定している。この場合、第４レンズ１ｄの下コバ面１８ｂに段差を設ける必要はない。このような構成により、レンズユニット１のレンズキャリア２に対する位置が、ストッパー１４によって固定されるため、ストッパー１４の嵌合を利用して、レンズユニット１の位置決めを行うことができる。
【００５６】
また、図６に示すストッパー１４もＬ字型をしているが、第４レンズ１ｄの下コバ面１８ｂに段差が設けられている。ストッパー１４は、第４レンズ１ｄの下コバ面１８ｂに設けられた段差と、レンズキャリア２との間の隙間に嵌合するように構成されている。この構成においても、嵌合したストッパー１４が第４レンズ１ｄの下コバ面１８ｂを押さえつけることによって、レンズユニット１をレンズキャリア２内に固定している。このような構成によっても、レンズユニット１のレンズキャリア２に対する位置が、ストッパー１４によって固定されるため、ストッパー１４の嵌合を利用して、レンズユニット１の位置決めを行うことができる。
【００５７】
なお、図５および図６のストッパー１４を利用してレンズユニット１の位置合わせを行う構成を示したが、必ずしもこれに限定されるわけではない。例えば、レンズキャリア２において第１レンズ１ａの上コバ面１５ａと接触する部分（前絞り）に段差を設け、当該段差と第１レンズ１ａの上コバ面１５ａに設けられた段差とが嵌合するようにすることにより、レンズユニット１の位置合わせを行ってもよい。
【００５８】
また、以上では、ストッパー１４によってレンズユニット１をレンズキャリア２内に固定する構成を示したが、必ずしもこれに限定されるわけではない。例えば、レンズキャリア２内にレンズユニット１を収容し、レンズキャリア２の内壁とレンズユニット１の第４レンズ１ｄの下コバ面１８ｂとに接着剤を塗布して、レンズキャリア２とレンズユニット１とを直接接着剤で固定してもよい。
【００５９】
（レンズキャリア２およびセンサーカバー１０の変形例）
上述したように、レンズキャリア２はベース部材４上に当接されており、センサーカバー１０は撮像素子１２全体を覆うように基板１３上に配置されているが、必ずしもこれに限定されるわけではない。そこで、以下には、レンズキャリア２およびセンサーカバー１０の２つの変形例を図７および図８に示す。図７および図８は、本実施形態に係るレンズキャリア２およびセンサーカバー１０の変形例の概略構成を模式的に示す断面図である。以下では、上述した実施形態と異なる点についてのみ説明する。
【００６０】
図７では、レンズキャリア２の底部はセンサーカバー１０の上面に当接しており、当該センサーカバー１０は撮像素子１２に当接している部位を有している。これにより、撮像素子１２に対するレンズユニット１の位置を精度よく決定することができる。また、レンズキャリア２をセンサーカバー１０に当接させることにより、レンズユニット１と撮像素子１２との間に介在する部品の数を減らすことができ、部品の公差ばらつきの影響を抑えることができる。
【００６１】
図８では、センサーカバー１０は撮像素子１２に当接している部位を有しているが、当該センサーカバー１０はベース部材４を兼ねている。したがって、レンズキャリア２はセンサーカバー１０に当接されており、レンズキャリア２を保持するための下板バネ９もセンサーカバー１０に当接されている。このように、ベース部材４とセンサーカバー１０とを一体化してもよい。この場合、レンズユニット１と撮像素子１２との間に介在する部品の数をより減らすことができる。
【００６２】
（アクチュエータ３０の変形例）
図９に、アクチュエータ３０を、光学式手振れ補正機構（ＯＩＳ：Ｏｐｔｉｃａｌ  Ｉｍａｇｅ  Ｓｔａｂｉｌｉｚｅｒ）付きオートフォーカスアクチュエータとした場合の変形例を示す。図９は、本変形例に係るアクチュエータ３０’を備えるカメラモジュール２５’の概略構成を模式的に示す断面図である。
【００６３】
アクチュエータ３０’には、例えば特開２０１１−６５１４０号公報に開示されているＯＩＳ付きオートフォーカスアクチュエータの構成を適用することができる。具体的には、アクチュエータ３０’は、レンズユニット１を駆動する駆動部（レンズキャリア２、駆動コイル３、マグネット６、およびマグネットフォルダ３１を含む）をサスペンションワイヤ２７で支持した構造を有している。より具体的には、マグネットフォルダ３１に、レンズキャリア２が上板バネ８と下板バネ９とによって支持されており、マグネットフォルダ３１はベース部材４に取り付けられたサスペンションワイヤ２７によって支持されている。結果、駆動部全体がサスペンションワイヤ２７によって支持されており、サスペンションワイヤ２７は、駆動部がベース部材４と接触しないように、すなわちベース部材４との間に間隔を空けて当該駆動部を支持している。換言すれば、レンズユニット１は、スペンションワイヤによって、ベース部材４との間に間隔を空けて支持されていることになる。本変形例では、上部カバー５がベース部材４の上面に設けられており、マグネットフォルダ３１は上部カバー５の内部に設けられている。
【００６４】
アクチュエータ３０’では、サスペンションワイヤ２７の外周に位置するように、手振れ補正用コイル２８が固定されている。また、ベース部材４は、レンズユニット１を組み込むための開口部２６を備えている。レンズユニット１は、ベース部材４の開口部２６から組み込まれ、レンズキャリア２の内面壁と直接対面して保持される。このように、上述したアクチュエータ３０は、本変形例に係るアクチュエータ３０’のように、ＯＩＳ付きオートフォーカスアクチュエータに適用することができる。
【００６５】
（カメラモジュール２５の製造方法）
以下では、カメラモジュール２５の製造方法について、図１０および図１１を参照して説明する。図１０は、レンズユニット１を撮像素子１２とは反対側から組み込む場合の概略構成を模式的に示す断面図である。図１１は、レンズユニット１を撮像素子１２側から組み込む場合の概略構成を模式的に示す断面図である。
【００６６】
まず、レンズユニット１を撮像素子１２とは反対側から組み込んでカメラモジュール２５を製造する方法を説明する。図１０に示すように、開口部を有するステージ２３上にアクチュエータ３０を用意し、上下反転にして配置する。この際、治具２２をステージ２３の開口部から通して、レンズキャリア２をベース部材４に当接して保持している。これにより、レンズキャリア２が固定されるため、上板バネ８および下板バネ９に対して無用な負荷がかからず、上板バネ８および下板バネ９の損傷を防ぐことができる。
【００６７】
この状態でレンズユニット１を、第４レンズ１ｄを上にして、ベース部材４側の開口部２６からレンズキャリア２内に挿入する。より具体的には、アクチュエータ３０のレンズキャリア２内にレンズユニット１を挿入し、当該レンズユニット１をレンズキャリア２の内壁面と直接対面させる。さらに、ストッパー１４をベース部材４側からレンズキャリア２内から挿入し、レンズユニット１を固定する。上述したように、レンズユニット１を押さえつけるようにしてストッパー１４をレンズキャリア２の内壁に接着して、レンズユニット１を固定してもよいし、レンズユニット１を押さえつけるようにしてストッパー１４をレンズユニット１とレンズキャリア２との間の隙間に嵌合させて、レンズユニット１を固定してもよい。あるいは、ストッパー１４の代わりに直接レンズキャリア２の内壁とレンズユニット１の第４レンズ１ｄの下コバ面１８ｂとに接着剤を塗布してレンズユニット１を固定してもよい。このようにして、カメラモジュール２５が製造される。
【００６８】
なお、以上では、上下反転にしたアクチュエータ３０をステージ２３上に載せて、上限反転にしたレンズユニット１をレンズキャリア２内に挿入したが、逆の構成でもよい。具体的には、ストッパー１４上に配置したレンズユニット１をステージ２３上に載せ、その上からアクチュエータ３０を被せることによって、カメラモジュール２５を製造してもよい。
【００６９】
続いて、レンズユニット１を撮像素子１２側から組み込んでカメラモジュール２５を製造する方法を説明する。図１１に示すように、アクチュエータ３０に設けられたレンズキャリア２は、第１レンズ１ａの上コバ面１５ａと接触する部分（前絞り）である上部レンズキャリア２ａと、残りの円筒部分である下部レンズキャリア２ｂとに分割されている。この際、下部レンズキャリア２ｂには、ストッパー１４に相当するストッパー部２４が所定の位置に設けられている。所定の位置とは、レンズユニット１を下部レンズキャリア２ｂ内に挿入したときに、当該レンズユニット１が所定の高さとなる位置である。
【００７０】
アクチュエータ３０に用意し、レンズキャリア２の上部レンズキャリア２ａを取り除いた状態で配置する。この状態でレンズユニット１を、第１レンズ１ａを上にして、第４レンズ１ｄがストッパー部２４に当接するまで、上部カバー５側の開口部２６から下部レンズキャリア２ｂ内に挿入し、レンズユニット１を固定する。より具体的には、アクチュエータ３０の下部レンズキャリア２ｂ内にレンズユニット１を挿入し、当該レンズユニット１を下部レンズキャリア２ｂの内壁面と直接対面させる。さらに、その上から上部レンズキャリア２ａを被せ、接着剤等で上部レンズキャリア２ａを固定する。このようにして、カメラモジュール２５を製造することもできる。
【００７１】
なお、レンズユニット１の製造方法は、最初に説明したとおりである。具体的には、積層した複数のレンズ（第１レンズ１ａから第４レンズ１ｄまでの４枚のレンズ）のうち、隣接する任意の２つのレンズにおいて向かい合う２つのコバ面のそれぞれに、向かい合うコバ面とは反対側に向かって凸となる段差を設ける。そうすると、第４レンズ１ｄ、第３レンズ１ｃ、第２レンズ１ｂ、および第１レンズ１ａを下から順に積層していくと、第４レンズ１ｄの上コバ面１８ａと第３レンズ１ｃの下コバ面１７ｂとの間には空隙が生じることになる。同様に、第３レンズ１ｃの上コバ面１７ａと第２レンズ１ｂの下コバ面１６ｂとの間、ならびに第２レンズ１ｂの上コバ面１６ａと第１レンズ１ａの下コバ面１５ｂとの間にも空隙が生じる。これらの空隙に接着剤２０を塗布することによって、第１レンズ１ａから第４レンズ１ｄまでの４枚のレンズを１ユニットに固定し、レンズユニット１を製造することができる。
【００７２】
従来では、撮像部を組み立てた後、その上にアクチュエータの底部を配置し、その上にレンズユニットを組み立てていく。そして、最後にその他のアクチュエータの部材を組み立てている。すなわち、従来ではカメラモジュールを下から順に組み立てていた。このように、アクチュエータを組み立てる途中でレンズユニットを組み込んでいるため、アクチュエータの組み込み工程でレンズ表面に汚れや傷を付けてしまう虞があった。それに加え、従来の組み立て工程は複雑であった。
【００７３】
さらに、従来ではアクチュエータの組み立て後にレンズの光学性能を評価することになる。すなわち、アクチュエータが完成するまでレンズユニットの光学性能の評価が不可能であった。この場合、もしレンズが不良品であると、アクチュエータを含めてすべてが不良品になってしまい、仕損額が大きくなってしまう。そのため、完成したアクチュエータの良品率が悪くなる場合があり、生産効率が低くなってしまう。
【００７４】
これに対して本実施形態係るカメラモジュール２５では、アクチュエータ３０を組み立てた後に、アクチュエータ３０の開口部２６からレンズユニット１を組み込んでいるため、アクチュエータ３０の組み立て途中で、レンズユニット１を挿入する必要がない。よって、レンズユニット１の各レンズ表面に汚れや傷を付けてしまうのを防ぐことができる。そのため、レンズの光学性能の劣化は抑えられ、完成したカメラモジュールの良品率を高く保つことができる。
【００７５】
さらに、レンズユニットを事前に一体化して作製することにより、アクチュエータに組み込む前にレンズユニット単体の光学性能の評価が可能であるため、光学性能が保証された良品のレンズユニットを良品のアクチュエータに組み込むことができる。これにより組み立てたカメラモジュールの良品率を高く保つことができる。
【００７６】
〔まとめ〕
本発明の態様１に係るカメラモジュール（２５）は、複数のレンズを積層してなるレンズユニット（１）と、上記レンズユニットを駆動するアクチュエータ（３０）とを備えたカメラモジュールであって、上記レンズユニットを構成する上記複数のレンズは、各上記レンズ間に塗布された接着剤（２０）によって互いに固定されており、上記アクチュエータは、上記レンズユニットを光軸方向から組み込むための開口部（２６）を有しており、上記レンズユニットは、上記開口部から上記アクチュエータ内に組み込まれ、上記アクチュエータの内壁面と直接対面して、当該アクチュエータ内に保持されていることを特徴としている。
【００７７】
さらに、本発明の態様２に係るカメラモジュール（２５）の製造方法は、複数のレンズを積層してなるレンズユニット（１）と、上記レンズユニットを駆動するアクチュエータ（３０）とを備えたカメラモジュールの製造方法であって、上記レンズユニットを光軸方向から組み込むための開口部（２６）を有する上記アクチュエータを用意する工程と、各上記レンズ間に接着剤（２０）を塗布することによって、上記複数のレンズを互いに固定して、上記レンズユニットを製造する工程と、用意した上記アクチュエータの上記開口部から上記レンズユニットを上記アクチュエータ内に組み込み、当該レンズユニットを上記アクチュエータの内壁面と直接対面させて、当該アクチュエータ内に保持させる工程とを含むことを特徴としている。
【００７８】
上記の構成によれば、接着剤を塗布することによって、複数のレンズを互いに固定し、ユニット化することができる。そのため、従来ではレンズバレルを用いて各レンズを固定し、当該レンズバレルをアクチュエータ内に収容していたが、本発明の一態様ではユニット化したレンズユニットを直接アクチュエータ内に収容することができる。すなわち、レンズバレルを用いずに複数のレンズをユニット化したレンズユニットを直接アクチュエータ内に収容することができる。そのため、レンズバレルの肉厚分だけカメラモジュールの直径寸法を小さくすることができる。
【００７９】
また、従来ではアクチュエータを組み立てる途中でレンズユニットを組み込んでいるため、アクチュエータの組み込み工程でレンズ表面に汚れや傷を付けてしまう虞があった。しかし、本発明の一態様に係るカメラモジュールでは、アクチュエータを組み立てた後に、アクチュエータの開口部からレンズユニットを組み込むことができるため、レンズユニットの各レンズ表面に汚れや傷を付けてしまうのを防ぐことができる。そのため、各レンズの光学性能の劣化は抑えられ、完成したカメラモジュールの良品率を高く保つことができる。
【００８０】
さらにレンズユニットを事前に一体化して作製することにより、アクチュエータに組み込む前にレンズユニット単体の光学性能の評価が可能であるため、光学性能が保証された良品のレンズユニットを良品のアクチュエータに組み込むことができる。これにより組み立てたカメラモジュールの良品率を高く保つことができる。
【００８１】
以上のことから、本発明の一態様によれば、小型であり、なおかつ良品質なカメラモジュールを実現できる。
【００８２】
さらに、本発明の態様３に係るカメラモジュールは、上記態様１において、上記複数のレンズのうち、隣接する任意の２つのレンズにおいて、向かい合う２つのコバ面のそれぞれに、向かい合う上記コバ面とは反対側に向かって凸となる段差が設けられ、互いの段差の間に生じた空隙に接着剤を塗布することによって、上記複数のレンズを互いに接合していてもよい。
【００８３】
上記の構成によれば、本発明の一態様に係るカメラモジュールでは、隣接する任意の２つのレンズにおいて向かい合う２つのコバ面のそれぞれに設けた段差により生じた空隙に接着剤を塗布しているため、接着剤は各レンズの外周面には及ばない。そのため、レンズユニットの直径寸法が、各レンズの直径寸法よりも接着剤の厚み分だけ大きくなることがない。すなわち、ユニット化したレンズユニットの直径寸法は、複数のレンズ各々の直径寸法と略同等である。このように、小型のカメラモジュールを実現できる。
【００８４】
さらに、本発明の態様４に係るカメラモジュールは、上記態様２において、上記複数のレンズのうち、隣接する２つのレンズの間に設けられたスペーサー（２１）をさらに備え、上記スペーサーにおける２つのコバ面のそれぞれに、当該スペーサーに対応する上記隣接する２つのレンズのうち、向かい合うレンズとは反対側に向かって凸となる段差が設けられ、当該段差と上記向かい合うレンズの上記コバ面に設けられた上記段差との間に生じた空隙に接着剤を塗布することによって、上記スペーサーと、当該スペーサーに対応する上記隣接する２つのレンズとを互いに接合していてもよい。
【００８５】
従来では、各レンズ間距離を調整するために、各レンズ間距離が所望の距離となるような形状にレンズを射出成形しているが、このような形状の成形は難しかった。そこで、上記の構成によれば、成形が難しい形状のレンズを用いなくても、スペーサーを用いてレンズ間距離を調整することが可能となる。さらに、レンズのコバ面に設けた段差と、スペーサーのコバ面に設けた段差とにより生じた空隙に接着剤を塗布して両者を接合させているため、両者は外れ難くなる。
【００８６】
さらに、本発明の態様５に係るカメラモジュールは、上記態様３または４において、上記複数のレンズのうち、隣接する２つのレンズの間に設けられた遮光板（１９）をさらに備え、上記遮光板と当該遮光板に対応する上記隣接する２つのレンズのそれぞれとの間に生じた空隙に接着剤を塗布することによって、上記遮光板と当該遮光板に対応する上記隣接する２つのレンズとを互いに接合していてもよい。
【００８７】
上記の構成によれば、カメラモジュールに、迷光を遮蔽する機能を持たせることができる。
【００８８】
さらに、本発明の態様６に係るカメラモジュールは、上記態様３〜５のいずれかの態様において、上記複数のレンズのうち、隣接する２つのレンズの間に設けられた遮光板（１９）をさらに備え、上記遮光板に対応する上記隣接する２つのレンズのいずれか一方のレンズの上記コバ面には突起が設けられており、上記遮光板は、上記突起に重ねて配置されることによって、他方のレンズの上記コバ面に係合していてもよい。
【００８９】
上記の構成によれば、カメラモジュールに、迷光を遮蔽する機能を持った遮光板を、接着剤を使わずに設けることができる。
【００９０】
さらに、本発明の態様７に係るカメラモジュールは、上記態様３〜６のいずれかの態様において、上記複数のレンズのうち、隣接する任意の２つのレンズのいずれか一方のレンズの上記コバ面には凸形状が設けられ、他方のレンズの上記コバ面には凹形状が設けられており、上記凸形状と上記凹形状とを係合または嵌合することによって、上記レンズユニットの光軸合わせがなされていてもよい。
【００９１】
上記の構成によれば、各レンズのコバ面に設けた凸形状および凹形状のみを利用して、複数のレンズの光軸合わせを行うことができる。
【００９２】
さらに、本発明の態様８に係るカメラモジュールは、上記対応３〜６のいずれか態様において、上記複数のレンズ各々の外壁面の位置を合わせることによって、上記レンズユニットの光軸合わせがなされていてもよい。
【００９３】
上記の構成によれば、各レンズのコバ面に設けた凸形状および凹形状を利用して、複数のレンズを互いに係合または嵌合することによって光軸合わせを行う場合と比べて、各レンズのコバ面に凸形状および凹形状を設ける必要がない。そのため、上記の凸形状および凹形状の分だけ各レンズのコバ面を小さくでき、各レンズの直径寸法を小さくすることができる。したがって、より小さいレンズユニットを得ることができる。
【００９４】
さらに、本発明の態様９に係るカメラモジュールは、上記態様１において、上記複数のレンズのうち、隣接する任意の２つのレンズにおいて、向かい合う２つのコバ面のそれぞれに、向かい合う上記コバ面とは反対側に向かって凸となる段差が設けられ、互いの段差の間に生じた空隙に接着剤を塗布することによって、上記複数のレンズを互いに接合しており、上記複数のレンズのうち、隣接する２つのレンズの間に設けられたスペーサー（２１）をさらに備え、上記スペーサーにおける２つのコバ面のそれぞれに、当該スペーサーに対応する上記隣接する２つのレンズのうち、向かい合うレンズとは反対側に向かって凸となる段差が設けられ、当該段差と上記向かい合うレンズの上記コバ面に設けられた上記段差との間に生じた空隙に接着剤を塗布することによって、上記スペーサーと、当該スペーサーに対応する上記隣接する２つのレンズとを互いに接合しており、上記複数のレンズのうち、隣接する任意の２つのレンズのいずれか一方のレンズの上記コバ面には凸形状が設けられ、他方のレンズの上記コバ面には凹形状が設けられており、上記凸形状と上記凹形状とを係合または嵌合することによって、上記レンズユニットの光軸合わせがなされていてもよい。
【００９５】
従来では、各レンズ間距離を調整するために、各レンズ間距離が所望の距離となるような形状にレンズを射出成形しているが、このような形状の成形は難しかった。そこで、上記の構成によれば、成形が難しい形状のレンズを用いなくても、スペーサーを用いてレンズ間距離を調整することが可能となる。さらに、レンズのコバ面に設けた段差と、スペーサーのコバ面に設けた段差とにより生じた空隙に接着剤を塗布して両者を接合させているため、両者は外れ難くなる。
【００９６】
また、各レンズのコバ面に設けた凸形状および凹形状を利用して、複数のレンズを互いに係合または嵌合することによって光軸合わせを行う場合と比べて、各レンズのコバ面に凸形状および凹形状を設ける必要がない。そのため、上記の凸形状および凹形状の分だけ各レンズのコバ面を小さくでき、各レンズの直径寸法を小さくすることができる。したがって、より小さいレンズユニットを得ることができる。
【００９７】
さらに、本発明の態様１０に係るカメラモジュール（２５）は、複数のレンズを積層してなるレンズユニット（１）と、上記レンズユニットを駆動するアクチュエータ（３０）とを備えたカメラモジュールであって、上記レンズユニットを構成する上記複数のレンズは、各上記レンズ間の嵌合によって互いに固定されており、上記アクチュエータは、上記レンズユニットを光軸方向から組み込むための開口部（２６）を有しており、上記レンズユニットは、上記開口部から上記アクチュエータ内に組み込まれ、上記アクチュエータの内壁面と直接対面して、当該アクチュエータ内に保持されていることを特徴としている。
【００９８】
さらに、本発明の態様１１に係るカメラモジュール（２５）の製造方法は、複数のレンズを積層してなるレンズユニット（１）と、上記レンズユニットを駆動するアクチュエータ（３０）とを備えたカメラモジュールの製造方法であって、上記レンズユニットを光軸方向から組み込むための開口部（２６）を有する上記アクチュエータを用意する工程と、各上記レンズ間の嵌合によって、上記複数のレンズを互いに固定して、上記レンズユニットを製造する工程と、用意した上記アクチュエータの上記開口部から上記レンズユニットを上記アクチュエータ内に組み込み、当該レンズユニットを上記アクチュエータの内壁面と直接対面させて、当該アクチュエータ内に保持させる工程とを含むことを特徴としている。
【００９９】
上記の構成によれば、各レンズ間を嵌合することによって、複数のレンズを互いに固定し、ユニット化することができる。そのため、ユニット化したレンズユニットを直接アクチュエータ内に収容することができる。それ故、レンズバレルの肉厚分だけカメラモジュールの直径寸法を小さくすることができる。
【０１００】
また、本発明の一態様に係るカメラモジュールでは、アクチュエータを組み立てた後に、アクチュエータの開口部からレンズユニットを組み込むことができるため、各レンズの光学性能の劣化は抑えられ、完成したカメラモジュールの良品率を高く保つことができる。さらにアクチュエータに組み込む前にレンズユニット単体の光学性能の評価が可能であるため、光学性能が保証された良品のレンズユニットを良品のアクチュエータに組み込むことができる。これにより組み立てたカメラモジュールの良品率を高く保つことができる。
【０１０１】
以上のことから、本発明の一態様によれば、小型であり、なおかつ良品質なカメラモジュールを実現できる。
【０１０２】
さらに、本発明の態様１２に係るカメラモジュールは、上記態様１および３〜１０のいずれか態様において、基板（１３）に配置された撮像素子（１２）と、上記撮像素子をカバーするためのセンサーカバー（１０）とをさらに備え、上記センサーカバーは、上記撮像素子と当接する部位を有しており、上記アクチュエータは、上記センサーカバーに当接していてもよい。
【０１０３】
上記の構成によれば、レンズユニットと撮像素子との位置関係を精度よく決定することができる。また、レンズキャリアをセンサーカバーに当接させることにより、レンズユニットと撮像素子との間に介在する部品の数を減らし、部品の寸法のばらつきによる影響を抑えることができる。
【０１０４】
さらに、本発明の態様１３に係るカメラモジュールは、上記態様１、３〜１０、および１２のいずれかの態様において、上記アクチュエータは、上記開口部を有する上部カバー（５）をベース部材（４）上に配置して構成されており、上記レンズユニットは、上記アクチュエータ内で上記ベース部材上に取り付けられたサスペンションワイヤ（２７）であって、自身の外周に手振れ補正用コイル（２８）が固定されたサスペンションワイヤによって、上記ベース部材との間に間隔を空けて支持されていてもよい。
【０１０５】
上記の構成によれば、本発明の一態様に係るアクチュエータを、ＯＩＳ付きオートフォーカスアクチュエータに適用することができる。
【０１０６】
さらに、本発明の態様１４に係る電子機器は、上記態様１、３〜１０、１２、および１３のいずれかのカメラモジュールが組み込まれていることを特徴としている。
【０１０７】
上記の構成によれば、小型であり、なおかつ良品質なカメラモジュールを持つ電子機器を実現できる。
【０１０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０９】
本発明は、カメラモジュール分野において利用可能であり、特に携帯電話機等の通信機器を含む各種の電子機器に搭載されるカメラモジュール、およびその電子機器に好適に利用することができる。
【符号の説明】
【０１１０】
１  レンズユニット
１ａ  第１レンズ
１ｂ  第２レンズ
１ｃ  第３レンズ
１ｄ  第４レンズ
２  レンズキャリア
３  駆動コイル
４  ベース部材
５  上部カバー
６  マグネット
７  ヨーク
８  上板バネ
９  下板バネ
１０  センサーカバー
１１  ＩＲＣフィルター
１２  撮像素子
１３  基板
１４  ストッパー
１５〜１８  コバ部
１５ａ〜１８ａ  上コバ面
１５ｂ〜１８ｂ  下コバ面
１９  遮光板
２０  接着剤
２１  スペーサー
２２  治具
２３  ステージ
２４  ストッパー部
２５  カメラモジュール
２５’  カメラモジュール
２６  開口部
２７  サスペンションワイヤ
２８  手振れ補正用コイル
３０  アクチュエータ
３０’  アクチュエータ
３１  マグネットフォルダ
【図１】
0005512857.tif 000002
【図２】
0005512857.tif 000003
【図３】
0005512857.tif 000004
【図４】
0005512857.tif 000005
【図５】
0005512857.tif 000006
【図６】
0005512857.tif 000007
【図７】
0005512857.tif 000008
【図８】
0005512857.tif 000009
【図９】
0005512857.tif 000010
【図１０】
0005512857.tif 000011
【図１１】
0005512857.tif 000012